(57)【特許請求の範囲】
【請求項１】
自転車変速装置用制御装置において、前記制御装置が、前記自転車のハンドルバー（１）の一端に固定されるハンドグリップ（２５）に隣接して前記ハンドルバー（１）に回転可能に取り付けられ且つ前記変速装置を制御するための可撓性ケーブル（１５）を巻き取るためのリール（１４）に接続される制御部材（１３）と、前記変速装置の各作動位置に対応する前記回転可能な制御部材（１３）の各作動位置の基準を提供可能な割り出し手段（１９，２１）とから成り、
前記割り出し手段が、前記回転可能な制御部材（１３）に堅固に接続される歯車（１９）により構成され、該歯車（１９）が、前記ハンドルバー（１）に固定される支持体（２）により担持され且つ前記回転可能な制御部材（１３）の作動位置の速動式基準を提供するために前記歯車（１９）の各歯間の各歯面に選択的に係合可能な弾性係合部材（２１）と協働し、更に、
前記割り出し手段が、前記歯車（１９）の周りに等角的に間隔を置いてピン形ばねにより構成される複数個の弾性係合部材（２１）から成ることを特徴とすることを特徴とする自転車変速装置用制御装置。
【請求項２】
前記各ピン形ばね（２１）が、前記支持体（２）と別異の要素（２２）により担持され且つそれに固定されることを特徴とする請求項１に記載の自転車変速装置用制御装置。
【請求項３】
前記支持体（２）が、プーリ（１６）を自由に回転可能に支持し、該プーリ（１６）に前記可撓性制御ケーブル（１５）が係止され、更に、前記支持体（２）が、前記ハンドルバーを締め付けるために締め付けねじ（６）により係合される２つの翼部（４，５）を有して略Ｃ字状形態を呈し、前記ねじ（６）が、更に前記プーリ（１６）を回転可能に支持するために使用されることを特徴とする請求項１に記載の自転車変速装置用制御装置。
【発明の詳細な説明】
【０００１】
【発明の属する技術分野】
本発明は、自転車のハンドルバーに回転可能に取り付けられる制御部材を有する自転車変速装置用制御装置に関し、特に、前記ハンドルバーの一方端に固定されるハンドグリップに隣接して前記自転車の前記ハンドルバーに回転可能に取り付けられ且つ前記変速装置を制御する可撓性ケーブル用巻き取りリールに接続される制御部材と、前記変速装置の各作動位置に対応する前記回転可能な制御部材の種々の作動位置の基準を提供することができる割り出し手段とから成る、特にマウンテンバイク等のためのマウンテンバイク等用の自転車変速装置用制御装置に関する。
【０００２】
【従来の技術】
上述した型式の制御装置は、例えば欧州特許出願公開第０５７１６３１号及び同第０５８５４７４号明細書に記載されている。
【０００３】
近年、自転車の後輪又は前輪変速装置を制御するための各種装置が提案され、それらは、特にマウンテンバイクに使用され、前記ハンドルバーの一方端に設けられる通常のハンドグリップにより構成される回転可能な制御部材から成る。この場合、前記ハンドグリップ全体は、前記ハンドルバーに回転可能に取り付けられ且つ前記変速装置を制御する可撓性ケーブル用の巻き取りリールに堅固に接続される。この型式の各装置は、例えば仏国特許出願公開第２５７５４３４号明細書及び１９９９１年４月２０日公開の伊国特許出願第６７９０５−Ａ／８９号明細書に開示されている。
【０００４】
【発明が解決すべき課題】
更に最近に至り前記ハンドグリップが通常のハンドルバーにおけるように固定され、且つ該ハンドグリップの内方端に隣接して前記ハンドルバーに回転可能に取り付けられる部材により提供される制御装置が提案されている。前記部材は、前記ハンドルバーの前記ハンドグリップから離れることなくサイクリストの手の２本の指により起動可能である。上述したように、この型式の装置は、例えば欧州特許出願公開第０５７１６３１号及び同第０５８５４７４号明細書に開示されている。
【０００５】
本発明の目的は、上述した後者の型式の制御装置を提供することであり、該装置は能率的で且つ信頼性があり、そして同時に簡単且つ安価に製造し得るものである。
【０００６】
【課題を解決するための手段】
この目的を達成するために、本発明は、本発明記載の始めに示される各特徴点を有し且つ更に前記割り出し手段が、前記回転可能な制御部材に堅固に接続される歯車により構成されることによって特徴付けられ、前記歯車が、前記ハンドルバーに固定される支持体により担持され且つ前記回転可能な部材の作動位置の速動式基準を提供するために前記歯車の各歯間の各歯面に選択的に係合可能な弾性係合部材と協働する制御装置を提供する。
【０００７】
【発明の実施の形態】
好ましい実施態様において、前記割り出し手段は、前記歯車の周りに等角的に間隔を置いた位置で各ピン形ばねにより構成される複数の弾性係合部材から成る。
【０００８】
更に、前記好ましい実施態様に関連して、前記支持体は、前記可撓性制御ケーブルがそれに係止されるプーリを自由に回転可能に支持する。前記支持体は、前記ハンドルバーに締め付けられるために、締め付けねじにより係合される２つの翼部を有して略Ｃ字状形態を呈し、前記ねじは、また前記プーリを回転可能に支持するために使用される。
【０００９】
好ましくは、前記各ピン形ばねは、それに固定される前記支持体の別異の要素により担持される。この方法で、前記支持体の前記２つの翼部の締め付けは、前記歯車に対する前記各ピン形ばねの位置を変化させない。
【００１０】
上記各特徴点により、本発明による制御装置は、削減された部品点数により構成されて構造が簡単な、能率的且つ信頼できるものである。
【００１１】
本発明の他の特徴点は、添付した各図面を参照して以下に非限定の実施例のためにのみ示される記載から明らかとなる。
【００１２】
【実施態様】
各図面を参照すれば、図２における符号１は、本発明による装置がそれに取り付けられるマウンテンバイクのハンドルバー１を構成する管の端部を示す。この装置は、前記ハンドルバー１の前記管を受容する円形中央開口部３とねじ６及びナット７から成るボルトにより互いに締め付けられる２つの翼部４，５を有して略Ｃ字状形態（図３）を呈する支持体２から成る。前記ねじ６は、前記翼部４の座９内に受容される頭部８とねじ付き端部１０を有する。
前記ねじ付き端部１０は、前記翼部５の座１２内に受容され且つレンチの係合用の凹部１３（図１）を有するナット７により係合される。前記ナット１１を前記ねじ６に締め付けることにより前記翼部４，５は、前記ハンドルバー１の前記管に前記支持体２を摩擦によって固定するように相互に向けて動かされる。前記ハンドルバー１の前記管に自転車の後輪又は前輪変速装置を制御するための部材１３が回転可能に取り付けられる（２つの制御装置が、夫々前輪及び後輪変速装置を制御するために前記ハンドルバー１の２つのハンドグリップに隣接して設けられる。）
【００１３】
前記回転可能な制御部材１３は、前記変速装置を制御するための可撓性ケーブル１５を巻き取るための円周溝１４ａを有するリール１４と一体に形成される管によって構成される。前記円周溝１４ａは、そこに前記可撓性ケーブル１５の一方端が固定される拡大端部１４ｂ（図１）を有する。前記可撓性ケーブル１５は、前記支持体２に自由に回転可能に取り付けられる前記プーリ１６の周りに係合される。
本発明によれば、前記プーリ１６を回転可能に支持するために前記支持体２を締め付けるための同一の前記ねじ６が使用され、従って、前記ねじ６は、その軸線１６ａを中心に前記プーリ１６の回転を可能にするために前記プーリ１６の支持軸として作用する。前記プーリ１６（図２）の周りと係合した後に前記巻き取りリール１４から出発した前記可撓性ケーブル１５は、前記支持体２に形成される孔１７を通って案内され且つケーブルシース（図示せず）を接続するために使用される通常型式の部材１８を通って外部に突出する。
【００１４】
その端部に前記リール１４が設けられる前記回転可能な制御部材１３を形成する前記管の内側方縁部に歯車１９が固定され、従って、前記歯車１９は、前記回転可能な制御部材１３に回転可能に接続される。更に、図１を参照すれば、前記回転可能な制御部材１３の管状部分は、指によるその作動を容易にするために、例えばゴム又はプラスチックから成る層２０で被覆される。図示した実施態様において、前記歯車１９は、夫々自由ばね端部と前記支持体２の座２４（図１）内に嵌合するための各軸方向突起２３を具備するリング２２に固定される対向端部とを有する３つのピン形ばねにより構成される３つの弾性係合部材２１と協働する。
【００１５】
前記歯車１９と前記弾性係合部材２１は、前記変速装置の種々の作動位置に対応する前記回転可能な制御部材１３の種々の作動位置の基準を提供可能な割り出し手段を形成する。従って、一方の作動位置から他方の作動位置への前記回転可能な部材１３の変位は、前記歯車１９の各歯間の各歯面に対する前記弾性係合部材２１の速動係合によってサイクリストにより検知される。
【００１６】
図２を参照すれば、前記ハンドルバー１の前記管は、ハンドグリップ２５がそこに固定される端部を有して前記回転可能な制御部材１３を超えて突出する。従って、前記制御装置は、前記ハンドグリップ２５を握りながら２本の指（通常、親指と人差し指）だけで前記回転可能な部材１３を動かすサイクリストによって起動される。
【００１７】
前述した説明から明らかなように、前記制御装置は、削減された部品点数（特に、前記締め付けボルト６が前記プーリ１６の支持軸として使用されることにより）によって特徴付けられ且つ従って、効率的で信頼し得る作動を有しながら、簡単で且つ製造が安価である。
【００１８】
本発明の原理は同じように残るが、当然に、構成及び各実施態様の細部は、本発明の範囲から逸脱することなく、実施例のためにのみ記述されたものに対し広範に変更することができる。
【００１９】
【発明の効果】
上述したように、本発明の自転車変速装置用制御装置は、前記自転車の前記ハンドルバーの一端に固定される前記ハンドグリップに隣接して前記ハンドルバーに回転可能に取り付けられ且つ前記変速装置を制御するための前記可撓性ケーブルを巻き取るためのリールに接続される前記制御部材と、前記変速装置の各作動位置に対応する前記回転可能な制御部材の各作動位置の基準を提供可能な前記割り出し手段とから成り、前記割り出し手段が、前記回転可能な制御部材に堅固に接続される前記歯車により構成され、該歯車が、前記ハンドルバーに固定される前記支持体により担持され且つ前記回転可能な制御部材の作動位置の速動式基準を提供するために前記歯車の各歯間の各歯面に選択的に係合可能な前記弾性係合部材と協働する構成としたので、効率的で信頼でき、そして同時に簡単且つ安価に製造し得る自転車変速装置用制御装置を提供することができる。
【図面の簡単な説明】
【図１】  本発明の自転車変速装置用制御装置の要部を分解して示す斜視図である。
【図２】  図１のII−II線に沿って示す組立状態の装置の断面図である。
【図３】  本発明の自転車変速装置用制御装置における支持体を一部破断して示す正面図である。
【符号の説明】
１    ハンドルバー
２    支持体
３    円形中央開口部
４    翼部
５    翼部
６    ねじ
１３  制御部材
１４  リール
１５  可撓性ケーブル
１６  プーリ
１９  歯車
２１  弾性係合部材
２２  リング
２３  軸方向突起
２５  ハンドグリップ
【図１】
0003697326.tif 000002
【図２】
0003697326.tif 000003
【図３】
0003697326.tif 000004